(57)【要約】【課題】同じ対象物を複数回撮影する用途に適した工事写真用の撮像装置を提供する。【解決手段】撮像装置は、画像データを生成する撮像部と、工事写真の撮影の対象物に関する対象物情報を取得する対象物情報取得部を有している。撮像装置は、撮影するために選択された対象物の撮影条件を、上記対象物情報に従って同じグループにグループ分けされた他の対象物について、同様の撮影条件を適用する反映提示情報を出力する情報敷衍制御部を有している。【選択図】図１
2019087882.tif 000002
【特許請求の範囲】
【請求項１】
工事写真用の撮像装置であって、撮像装置は、
画像データを生成する撮像部と、
工事写真の撮影の対象物に関する対象物情報を取得する対象物情報取得部を有し、
撮像装置は、撮影するために選択された対象物の撮影条件を、上記対象物情報に従って同じグループにグループ分けされた他の対象物について、同様の撮影条件を適用する反映提示情報を出力する情報敷衍制御部を有する、撮像装置。
【請求項２】
各対象物の対象物情報は、撮影条件情報とグループ分け情報の少なくとも一方を含むか、撮影条件情報とグループ分け情報の少なくとも一方を生成可能な情報である、請求項１に記載の撮像装置。
【請求項３】
上記情報敷衍制御部は、上記反映提示情報を出力するとともに、上記反映提示情報に対する回答指示情報の入力を待ち、同様の撮影条件の変更を承諾する回答指示情報を受け取ったときに、上記他の対象物に対する同様の撮影条件の変更を反映する、請求項１に記載の撮像装置。
【請求項４】
上記グループ分け情報は、対象物の仕様、他の対象物との位置関係、対象物の工事日程情報などに基づいて同じ分類となるものを検索して得られる、請求項１に記載の撮像装置。
【請求項５】
グループ分けによって撮影されたかどうかの情報が、撮影された画像に関連づけられる、請求項１に記載の撮像装置。
【請求項６】
グループ分けに基づく同様の撮影条件の適用の提案に対する採用または不採用の判定結果の情報が、撮影された画像に関連づける、請求項１に記載の撮像装置。
【請求項７】
上記対象物は、階層的にグループ分けされている、請求項１に記載の撮像装置。
【請求項８】
上記対象物情報を撮影補助サーバから受信する通信部を有する、請求項１に記載の撮像装置。
【請求項９】
撮影条件の変更の指示を受け付ける変更指示受付部を有している、請求項１に記載の撮像装置。
【請求項１０】
画像データを生成し、
工事写真の撮影の対象物に関する対象物情報を取得し、
撮影するために選択された対象物の撮影条件を、上記対象物情報に従って同じグループにグループ分けされた他の対象物について、同様の撮影条件を適用する、撮影方法。
【請求項１１】
画像データを生成し、
工事写真の撮影の対象物に関する対象物情報を取得し、
撮影するために選択された対象物の撮影条件を、上記対象物情報に従って同じグループにグループ分けされた他の対象物について、同様の撮影条件を適用することをコンピュータに実行させる、撮影プログラム。
【請求項１２】
請求項１に記載の撮像装置による写真撮影の補助をする撮影補助サーバであって、
工事物件情報を記憶しているデータベースと、
上記データベースから工事物件情報を読み出す情報読み出し部と、
上記撮像装置によって撮影される対象物を選定する対象物選定部と、
上記工事物件情報に基づいて上記対象物の撮影条件を決定する撮影条件決定部と、
上記工事物件情報に基づいて上記対象物をグループ分けするグループ分け部と、
上記工事物件情報と、グループ分け情報を含む上記対象物情報とから、上記撮像装置の表示部に表示可能なユーザーインターフェースプログラムを作成するユーザーインターフェース作成部とを有する、撮影補助サーバ。
【請求項１３】
上記ユーザーインターフェースプログラムを上記撮像装置に送信する通信部を有する、請求項１２に記載の撮影補助サーバ。
【請求項１４】
請求項１に記載の撮像装置と、
工事物件情報を記憶しているデータベースと、上記データベースから工事物件情報を読み出す情報読み出し部と、上記撮像装置によって撮影される対象物を選定する対象物選定部と、上記工事物件情報に基づいて上記対象物の撮影条件を決定する撮影条件決定部と、上記工事物件情報に基づいて上記対象物をグループ分けするグループ分け部と、上記工事物件情報と、グループ分け情報を含む上記対象物情報とから、上記撮像装置の表示部に表示可能なユーザーインターフェースプログラムを作成するユーザーインターフェース作成部を有する撮影補助サーバとからなる、撮影システム。
【発明の詳細な説明】
【技術分野】
【０００１】
本発明は、工事写真撮影用の撮像装置に関する。
【背景技術】
【０００２】
土木工事や建築工事等の工事現場では、施工後に人の目から隠れてしまう個所の工事が多いため、しっかりと施工されたことの証拠として、工事の様々な工程において、工事写真を撮影することが行われる。
【０００３】
これまで、工事写真の撮影は、通常、撮影箇所や設計値・実測値などの事項を人手で書き込んだ黒板を、撮影対象と撮影目的がよくわかる位置に、黒板面の文字・線が視読できるように配置して、写真撮影することによって行われている。
【０００４】
この作業には、必須事項の書き写しに時間と手間を要する。また、多くの場合、写真撮影に複数の人員を要する。さらに、黒板を携行する労力も必要である。
【０００５】
このような負担を軽減するものとして、特許第４２７０３５０号公報は、撮像すべき画像に関するメモ情報を記憶可能な記憶部と、記憶部に記憶されているメモ情報を撮像モード時に表示可能な表示部とを備えたデジタルカメラを開示している。同デジタルカメラはまた、被写体を撮影済みであることを示す撮影状況情報を記憶可能に構成されている。
【０００６】
また、特開２００１−２４９８２号公報は、コンピュータで作成した撮影情報をデジタルカメラに送信し、撮影後の画像データと一緒に撮影情報を記憶し、その後に、画像データと撮影情報をコンピュータに送信するデジタルカメラシステムを開示している。
【先行技術文献】
【特許文献】
【０００７】
【特許文献１】特許第４２７０３５０号公報
【特許文献２】特開２００１−２４９８２号公報
【発明の概要】
【発明が解決しようとする課題】
【０００８】
上記のデジタルカメラやデジタルカメラシステムは、撮影の対象物に関する情報を事前に取得するため、前述した手間や労力を軽減するに有効である。また、撮影画像に関連づけて撮影状況情報を記憶するため、撮り忘れの確認にも有効である。
【０００９】
しかし、上記のデジタルカメラやデジタルカメラシステムはいずれも、同じ対象物を現場状況に応じて撮影する用途を考慮して設計されていない。
【００１０】
本発明の目的は、このような実状を考慮してなされたものであり、現場状況に応じて撮影する用途に適した工事写真用の撮像装置、さらには、撮影方法、撮影システム、撮影補助サーバを提供することである。
【課題を解決するための手段】
【００１１】
本発明による撮像装置は、画像データを生成する撮像部と、工事写真の撮影の対象物に関する対象物情報を取得する対象物情報取得部を有している。撮像装置は、撮影するために選択された対象物の撮影条件を、上記対象物情報に従って同じグループにグループ分けされた他の対象物について、同様の撮影条件を適用する反映提示情報を出力する。
【００１２】
本発明による撮影方法は、画像データを生成し、工事写真の撮影の対象物に関する対象物情報を取得し、撮影するために選択された対象物の撮影条件を、上記対象物情報に従って同じグループにグループ分けされた他の対象物について、同様の撮影条件を適用する。
【００１３】
本発明による撮影プログラムは、画像データを生成し、工事写真の撮影の対象物に関する対象物情報を取得し、撮影するために選択された対象物の撮影条件を、上記対象物情報に従って同じグループにグループ分けされた他の対象物について、同様の撮影条件を適用することをコンピュータに実行させる。
【００１４】
本発明による撮影補助サーバは、上記撮像装置による写真撮影の補助をする撮影補助サーバであって、工事物件情報を記憶しているデータベースと、上記データベースから工事物件情報を読み出す情報読み出し部と、上記撮像装置によって撮影される対象物を選定する対象物選定部と、上記工事物件情報に基づいて上記対象物の撮影条件を決定する撮影条件決定部と、上記工事物件情報に基づいて上記対象物をグループ分けするグループ分け部と、上記工事物件情報と、グループ分け情報を含む上記対象物情報とから、上記撮像装置の表示部に表示可能なユーザーインターフェースプログラムを作成するユーザーインターフェース作成部を有している。
【００１５】
本発明による撮影システムは、上記撮像装置と、上記撮像装置による写真撮影の補助をする撮影補助サーバとからなる。上記撮影補助サーバは、工事物件情報を記憶しているデータベースと、上記データベースから工事物件情報を読み出す情報読み出し部と、上記撮像装置によって撮影される対象物を選定する対象物選定部と、上記工事物件情報に基づいて上記対象物の撮影条件を決定する撮影条件決定部と、上記工事物件情報に基づいて上記対象物をグループ分けするグループ分け部と、上記工事物件情報と、グループ分け情報を含む上記対象物情報とから、上記撮像装置の表示部に表示可能なユーザーインターフェースプログラムを作成するユーザーインターフェース作成部を有している。
【発明の効果】
【００１６】
本発明によれば、同じ対象物を状況に応じて撮影する用途に適した撮像装置、さらには、撮影方法、撮影システム、撮影補助サーバが提供される。
【図面の簡単な説明】
【００１７】
【図１】図１は、実施形態に係る撮像装置の構成を示すブロック図である。
【図２Ａ】図２Ａは、図１に示された撮像装置における処理のフローチャートの一部を示している。
【図２Ｂ】図２Ｂは、図１に示された撮像装置における処理のフローチャートの一部を示している。
【図２Ｃ】図２Ｃは、図１に示された撮像装置における処理のフローチャートの一部を示している。
【図２Ｄ】図２Ｄは、図１に示された撮像装置における処理のフローチャートの一部を示している。
【図３】図３は、図１に示された撮像装置を用いて工事写真の撮影の対象物をユーザが撮影する様子を示している。
【図４Ａ】図４Ａは、図１に示された撮像装置の操作部のタッチパネルに表示された指定部ガイドＵＩを示しており、部屋選択ウィンドウが表示されている様子を示している。
【図４Ｂ】図４Ｂは、図１に示された撮像装置の操作部のタッチパネルに表示された指定部ガイドＵＩを示しており、部屋の間取り図面ウィンドウが表示されている様子を示している。
【図４Ｃ】図４Ｃは、図１に示された撮像装置の操作部のタッチパネルに表示された指定部ガイドＵＩを示しており、指定された対象物の情報ウィンドウと撮影回数変更ウィンドウが表示されている様子を示している。
【図４Ｄ】図４Ｄは、図１に示された撮像装置の操作部のタッチパネルに表示された指定部ガイドＵＩを示しており、部屋の間取り図面ウィンドウが表示されている様子を示しており、部屋の間取り図面ウィンドウに表示された対象物のうち、撮影中の対象物と、撮影中の対象物と同じグループ分け情報を有する対象物とに、変更後の撮影回数が表示されている様子を示している。
【図４Ｅ】図４Ｅは、図１に示された撮像装置の操作部のタッチパネルに表示された指定部ガイドＵＩを示しており、ライブビューウィンドウと撮影回数ウィンドウが表示されている様子を示しており、ライブビューウィンドウに、撮影画像の前面に黒板画像が重ねられた工事写真画像が表示されている。
【図５】図５は、部屋の間取りと、対象物のレイアウトを示している。
【図６】図６は、実施形態に係る工事写真管理サーバの構成を示すブロック図である。
【図７Ａ】図７Ａは、図１に示された撮像装置と通信を行う図２に示された工事写真管理サーバにおける処理のフローチャートの一部を示している。
【図７Ｂ】図７Ｂは、図１に示された撮像装置と通信を行う図２に示された工事写真管理サーバにおける処理のフローチャートの一部を示している。
【図７Ｃ】図７Ｃは、図１に示された撮像装置と通信を行う図２に示された工事写真管理サーバにおける処理のフローチャートの一部を示している。
【発明を実施するための形態】
【００１８】
［撮像装置］
以下、図面を参照しながら、実施形態に係る撮像装置について説明する。
【００１９】
［構成］
図１は、実施形態に係る撮像装置の構成を示すブロック図である。図１に示された撮像装置１０は、例えばデジタルカメラで構成されるが、タブレット端末やスマートフォン、カメラ機能付き携帯電話機といった撮像機能を有する各種の機器で構成されてもよい。
【００２０】
撮像装置１０は、画像データを生成する撮像部１１と、撮像部１１から画像データを取得して処理する画像処理部１２と、撮像装置１０を統括的に制御する制御部１３と、ユーザによる各種操作の指示や設定の入力を受け付ける操作部１４と、画像を含む各種情報を出力する表示部１５と、画像を含む各種情報を記憶する記憶部１６とを有している。
【００２１】
撮像装置１０は、また、撮像装置１０の位置を検知する位置センサ１７ａと、撮像装置１０の方位を検知する方位センサ１７ｂと、撮像装置１０の姿勢を検知する姿勢センサ１７ｃとを有している。
【００２２】
撮像装置１０は、さらに、工事写真管理サーバとの間で各種情報の通信を行う通信部１８と、工事写真の撮影の対象物に関する対象物情報を取得する対象物情報取得部１９とを有している。工事写真管理サーバについては、後述する。
【００２３】
撮像装置１０のこれらの構成要素、すなわち、撮像部１１と画像処理部１２と制御部１３と操作部１４と記憶部１６と位置センサ１７ａと方位センサ１７ｂと姿勢センサ１７ｃと通信部１８と対象物情報取得部１９の各々は、例えば、ハードウェアとソフトウェアとの組み合わせによって構成されている。
【００２４】
〈撮像部１１〉
撮像部１１は、入って来る光に基づいて光学像を形成し、形成した光学像に対応する画像データを生成して出力するように構成されている。撮像部１１は、結像光学系１１ａと、撮像素子１１ｂと、合焦調節部とを有している。結像光学系１１ａは、絞りとレンズ等を有しており、入って来る光を集光させるとともに撮像素子１１ｂに入射させる。また、結像光学系１１ａは、合焦状態を調節するためのフォーカスレンズを含んでいる。撮像素子１１ｂは、例えばＣＭＯＳイメージセンサまたはＣＣＤイメージセンサを含んでおり、結像光学系１１ａにより結像された光学像に係る画像データを生成する。撮像素子１１ｂは、例えば、被写体までの距離検出が可能なように位相差検出画素を含んでいる。合焦調節部は、制御部１３から供給されるフォーカス制御信号に従って、結像光学系１１ａのフォーカスレンズをその光軸方向に駆動したり、撮像素子１１ｂを駆動したりするように構成されている。
【００２５】
〈画像処理部１２〉
画像処理部１２は、一般に集積回路で構成され、様々な機能が利用しやすい構成で集積されている。画像処理部１２は、撮像部１１から画像データを取得し、その取得した画像データに対して、撮影モードや撮影状況に応じた画像処理を施すように構成されている。
【００２６】
また、画像処理部１２は、撮像部１１から取得した画像データに対して画像処理を施すことにより、種々の画像データや画像ファイルや信号を生成するように構成されている。例えば、画像処理部１２は、撮像部１１から取得した画像データからライブビュー用画像データを生成して出力するように構成されている。画像処理部１２は、また、撮像部１１から取得した画像データから静止画ファイルを生成して出力するように構成されている。画像処理部１２は、また、撮像部１１から取得した画像データから動画ファイルを生成して出力するように構成されている。画像処理部１２は、さらに、画像処理により、フォーカス制御信号を生成して出力するように構成されている。
【００２７】
〈操作部１４〉
操作部１４は、ユーザが撮像装置１０を操作することを可能にするデバイスである。操作部１４は、例えば、レリーズボタン、動画ボタン、設定ボタン、選択キー、起動停止ボタン、タッチパネル等を有している。レリーズボタンは、静止画撮影を指示するための操作要素である。動画ボタンは、動画撮影の開始および終了を指示するための操作要素である。設定ボタンは、撮像装置１０の設定画面を表示部１５に表示させるための操作要素である。選択キーは、例えば設定画面上の項目の選択および決定を行うための操作要素である。起動停止ボタンは、撮像装置１０の起動および停止を指示するための操作要素である。タッチパネルは、表示部１５の表示画面と一体的に設けられており、表示画面上でのユーザによるタッチ操作を検出するための操作要素である。タッチパネルによってレリーズボタン、動画ボタン、設定ボタン、選択キー、起動停止ボタンと同等の操作ができるように構成されていてもよい。
【００２８】
〈表示部１５〉
表示部１５は、例えば液晶ディスプレイや有機ＥＬディスプレイで構成されている。例えば、表示部１５は、制御部１３から供給される各種情報を出力するように構成されている。例えば、表示部１５は、制御部１３から供給される画像データに従って画像を表示するように構成されている。表示部１５は、また、制御部１３から供給される画像以外の情報を出力するように構成されている。例えば、表示部１５は、画像に加えて、制御部１３から供給される文字情報を表示するように構成されている。さらには、表示部１５は、制御部１３から供給される音声情報を出力するように構成されていてもよい。
【００２９】
〈記憶部１６〉
記憶部１６は、例えばフラッシュメモリで構成されている。記憶部１６は、制御部１３から供給される各種情報を記憶するように構成されている。記憶部１６は、また、要求に応じて、記憶している各種情報を制御部１３へ提供するように構成されている。
【００３０】
〈位置センサ１７ａ、方位センサ１７ｂ、姿勢センサ１７ｃ〉
位置センサ１７ａと方位センサ１７ｂと姿勢センサ１７ｃは、それぞれ、撮像装置の位置と方位と姿勢を検知するように構成されている。位置センサ１７ａは、例えば、ＧＰＳや３ＧアンテナやＷｉＦｉ（登録商標）アクセスポイントを利用して位置情報を取得する位置測位センサで構成されている。方位センサ１７ｂは、例えば、電子コンパスなどの地磁気センサで構成されている。姿勢センサ１７ｃは、例えば、ジャイロセンサなどの角速度センサや、加速度センサを用いて構成されている。
【００３１】
〈通信部１８〉
通信部１８は、撮像装置１０と工事写真管理サーバの間の通信を可能にするデバイスである。撮像装置１０と工事写真管理サーバの間の通信は、両者間で直に行われてもよいし、別の機器を介して行われてもよい。例えば、通信部１８は、工事写真管理サーバから指定部ガイドＵＩプログラムを受信するように構成されている。通信部１８はまた、工事写真管理サーバへ作業情報を送信するように構成されている。工事写真管理サーバは、クラウドサーバとして構成されていてもよい。
【００３２】
工事写真管理サーバは、写真撮影の補助をしているので撮影補助サーバと呼んでもよい。また、通信部１８を介してやり取りされる情報の工夫によって、撮像装置１０内に搭載した機能の一部または複数を、外部のサーバ内に設けたり、委託したりしてもよい。
【００３３】
通信部１８によって受信される指定部ガイドＵＩプログラムは、例えば、施工図を含んでいる。施工図は、好ましくは、工事の作業工程ごとに分けて作成されており、その作業工程における工事写真に必要な情報を含んでいる。
【００３４】
工事写真に必要な情報は、例えば、工事写真を撮影すべき対象物ごとに設定された対象物情報を含んでいる。
【００３５】
工事写真に必要な情報はまた、好ましくは、工事写真の撮影の対象物の位置情報を含んでいる。例えば、施工図には、対象物ごとに座標が設定されており、その座標に関連づけて対象物情報が記録されている。
【００３６】
対象物情報は、撮影条件情報とグループ分け情報の少なくとも一方を含んでいる。あるいは、対象物情報は、撮影条件情報とグループ分け情報の少なくとも一方を生成可能な情報である
【００３７】
対象物情報は、例えば、撮影条件情報を含んでいる。撮影条件は、例えば、撮影回数である。本実施形態では、撮影条件は、撮影回数であるとして説明する。しかし、撮影条件は、撮影回数に限定されるものではない。
【００３８】
工事写真の撮影の対象物は、例えば、基礎、柱、梁、壁、スラブ等、複数種類の構造物を含んでいる。また、同じ種類の対象物は、例えば、グループ分けされている。対象物は、必ずしも、すべての種類でグループ分けされている必要はない。必要に応じて、１種類または数種類の対象物がグループ分けされているだけでよい。もちろん、すべての種類の対象物がグループ分けされていても一向に構わない。
【００３９】
本実施形態では、少なくとも１種類の対象物がグループ分けされている。言い換えれば、工事写真の撮影の対象物は、グループ分けされた少なくとも１組の対象物を含んでいる。また、グループ分けされた対象物として、柱を例にあげて説明する。グループ分けについては後述する。
【００４０】
対象物情報はまた、グループ分けされた同じ種類の対象物のグループ分け情報を含んでいてもよい。また、グループ分け情報は、他の機器や回路やシステムが、対象物情報から、工事の日程や構造物の種類や配置を判定して作成してもよい。グループ分け情報は、対象物情報から生成できるという意味で、対象物情報がグループ分け情報を含んでいてもよい。ただし、ここでは、単純化のため、対象物情報がグループ分け情報を含む形で説明している。
【００４１】
ここにおいて、グループ分け情報は、グループ分けされた対象物が属するグループを表す情報である。グループ分け部情報は、対象物情報から、対象物の仕様、他の対象物との位置関係、対象物の工事日程情報などに基づいて同じ分類となるものを検索して得られる。なお、グループ分けされていない各対象物の対象物情報は、グループ分け情報として、例えば、グループ分けされていないことを表すヌル値を有している。
【００４２】
通信部１８によって送信される作業情報は、例えば、撮影した工事写真を含む画像ファイルや、現場で修正された指定部ガイドＵＩパラメータの修正情報を含んでいる。指定部ガイドＵＩパラメータの修正情報は、例えば、撮影回数の変更情報を含んでいる。撮影回数の修正情報は、例えば、撮影回数が修正された対象物の情報と、修正後の撮影回数の情報を含んでいる。指定部ガイドＵＩパラメータの修正情報は、例えば、工事写真管理サーバにおいて、次回以降の作業の指定部ガイドＵＩプログラムに反映される。
【００４３】
〈対象物情報取得部１９〉
対象物情報取得部１９は、通信部１８によって受信された指定部ガイドＵＩプログラムから、工事写真の撮影の対象物に関する対象物情報を取得するように構成されている。
【００４４】
対象物情報取得部１９は、黒板情報生成部１９ａを有している。黒板情報生成部１９ａは、対象物情報取得部１９が取得した対象物情報から、工事写真に写し込む情報である黒板情報を生成して出力するように構成されている。
【００４５】
工事写真は、誰が、いつ、どこで、何を、何のために、どうやって行ったかが識別できるものでなければならない。このため、工事写真に写し込む黒板情報は、立会者や確認者等、施工時期や作業工程等、施工場所や施工部位等、工事種目や分類等、規格や表示マークや寸法等、施工状況等の情報を含んでいる。
【００４６】
このような情報を取得する機能は、工事写真管理サーバが有していてもよい。つまり、この機能ブロックで表した対象物情報取得そのものは外部の工事写真管理サーバが行い、工事写真管理サーバ内に設けられたコンピュータ回路やプログラムが、同様の処理を行い、撮像装置１０に黒板情報やＵＩプログラムを通信部１８を介して送信するような構成でもよい。
【００４７】
この全てを工事写真管理サーバが行う必要はなく、黒板に書き込む情報や撮影位置の補助情報を工事写真管理サーバが送信し、それを受信した撮像装置１０が黒板の画像そのものや撮像用のＵＩ表示付き画面を作るような分担を行ってもよい。もちろん、黒板画像やＵＩ表示のデータそのものをサーバが送信してもよい。
【００４８】
つまり、ここでの工事写真管理サーバは、撮像装置１０が撮影する対象物に関する設計図など、対象物情報を取得する機能を備え、その対象物情報から、その用途ごとに適宜、情報を選別し、撮像装置１０が撮影した画像に合成する合成用対象物情報と、上記撮像装置１０の表示部に表示可能なユーザーインターフェース情報とを抽出（生成）する情報抽出（生成）部を有するサーバという表現が可能なものである。
【００４９】
つまり、図１における画像処理部１２、対象物情報取得部１９の一部または全部を工事写真管理サーバが有しており、工事写真管理サーバはその生成情報を撮像装置１０の通信部１８に送信する送信部を有していてもよい。また、図１の対象物情報取得部１９は、設計図の情報だけを取得するだけではなく、設計図などの対象物情報から抜き出して加工した情報（画像情報とかテキスト情報とか）を取得する、という設計も可能である。
【００５０】
〈画像処理部１２〉
画像処理部１２は、工事写真用の合成画像データを生成するため、黒板画像生成部１２ａと、画像合成部１２ｂを有している。
【００５１】
黒板画像生成部１２ａは、黒板情報生成部１９ａによって生成された黒板情報に基づいて、工事写真に写し込む黒板画像データを生成するように構成されている。
【００５２】
画像合成部１２ｂは、撮像部１１から取得した画像データに、黒板画像生成部１２ａによって生成された黒板画像データを合成して、工事写真用の合成画像データを生成して出力するように構成されている。画像合成部１２ｂは、また、生成した工事写真用の合成画像データに基づいて、工事写真静止画ファイルを生成して出力するように構成されている。
【００５３】
〈制御部１３〉
制御部１３は、撮像部１１と画像処理部１２と操作部１４と記憶部１６と位置センサ１７ａと方位センサ１７ｂと姿勢センサ１７ｃと通信部１８と対象物情報取得部１９の各々に適切な動作を行わせるように構成されている。制御部１３は、また、これらの構成要素間の情報のやり取りを適切に制御するように構成されている。
【００５４】
制御部１３は、撮影回数制御部１３ａを有している。撮影回数制御部１３ａは、例えば、次に述べる動作を行うように構成されている。（１）画像合成部１２ｂが工事写真静止画ファイルを生成して出力する都度、撮影回数を減算する。（２）減算後の撮影回数が０であるか否かを判定する。（３）撮影回数が０でないと判定された場合、残りの撮影回数を通知する。
【００５５】
制御部１３はまた、情報敷衍制御部１３ｂを有している。情報敷衍制御部１３ｂは、例えば、次に述べる動作を行うように構成されている。（１）撮影中の対象物の撮影条件の変更を指示する変更指示情報を受け取ったときに、撮影中の対象物と同じグループ分け情報（ヌル値を除く）を有する他の対象物について、同様の撮影条件の変更を提示する反映提示情報を出力するとともに、反映提示情報に対する回答指示情報の入力を待つ。（２）同様の撮影条件の変更を承諾する回答指示情報を受け取ったときに、撮影中の対象物と同じグループ分け情報を有する他の対象物について、同様の撮影条件の変更を反映する。なお、（２）は、提示結果の承諾を反映する部分なので、他の機能が代用してもよい。
【００５６】
ここにおいて、撮影中の対象物は、撮影するために選択された対象物を指している。つまり、撮影中の対象物は、今まさに撮影されようとしている対象部または今ちょうど撮影された対象物を意味している。別の言い方をすれば、撮影中の対象物は、今現在、その光学像が撮像部１１によって捕らえられている対象物を意味している。また、撮影中の対象物と同じグループ分け情報を有する他の対象物は、別の言い方をすれば、対象物情報に従って同じグループにグループ分けされた他の対象物を意味している。また、反映提示情報は、同様の撮影条件を適用する情報であってもよい。
【００５７】
［動作］
次に、本実施形態に係る撮像装置１０の動作について説明する。図２Ａと図２Ｂと図２Ｃと図２Ｄは、本実施形態に係る撮像装置１０における処理のフローチャートを示している。図２Ａと図２Ｂと図２Ｃと図２Ｄの処理は、制御部１３が主体となっておこなわれる。
【００５８】
図２Ａと図２Ｂと図２Ｃと図２Ｄのフローチャートは、起動に備えて待機しているスタンバイ状態から撮像装置１０が起動され、撮像装置１０が停止されスタンバイ状態に戻るまでを表している。
【００５９】
スタンバイ状態において、ユーザによって操作部１４の起動停止ボタンが操作されたとき、制御部１３は、撮像装置１０の起動が指示されたと判定し、撮像装置１０を起動させる。
【００６０】
撮像装置１０が起動された後、ステップＳ１０１において、制御部１３は、撮像装置１０の現在の動作モードが通常撮影モードであるか否かを判定する。記憶部１６は、ユーザによる操作部１４の操作によって設定された撮像装置１０の動作モードを記憶している。動作モードは、初期状態では、受信モードに設定されている。制御部１３は、記憶している動作モードに従って、現在の動作モードが通常撮影モードであるか否かを判定する。現在の動作モードが通常撮影モードであると判定された場合、処理はステップＳ１４１に移行する。反対に、撮像装置１０の動作モードが通常撮影モードでないと判定された場合、処理はステップＳ１０２に移行する。
【００６１】
ステップＳ１０１において、現在の動作モードが通常撮影モードであると判定された場合、ステップＳ１４１において、制御部１３は、撮像装置１０に通常撮影処理をおこなわせる。その後、処理はステップＳ１２８に移行する。通常撮影処理では、ユーザの操作に応じて静止画または動画の撮影が行われる。
【００６２】
ステップＳ１０１において、現在の動作モードが通常撮影モードでないと判定された場合、ステップＳ１０２において、制御部１３は、記憶部１６が記憶している動作モードに従って、撮像装置１０の現在の動作モードが工事写真撮影モードであるか否かを判定する。現在の動作モードが工事写真撮影モードであると判定された場合、処理はステップＳ１０３に移行する。反対に、撮像装置１０の現在の動作モードが工事写真撮影モードでないと判定された場合、処理は、図２Ｂに示されるステップＳ１７１に移行する。
【００６３】
ステップＳ１０２において、現在の動作モードが工事写真影モードでないと判定された場合、図２Ｂに示されるステップＳ１７１において、制御部１３は、記憶部１６が記憶している動作モードに従って、撮像装置１０の現在の動作モードが再生モードであるか否かを判定する。現在の動作モードが再生モードであると判定された場合、処理はステップＳ１８１に移行する。反対に、撮像装置１０の現在の動作モードが再生モードでないと判定された場合、処理はステップＳ１７２に移行する。
【００６４】
ステップＳ１７１において、現在の動作モードが再生モードであると判定された場合、ステップＳ１８１において、制御部１３は、撮像装置１０に再生処理をおこなわせる。その後、処理は、図２Ｃに示されるステップＳ１２９に移行する。再生処理では、ユーザによって選択された画像ファイルが表示部１５に再生される。
【００６５】
ステップＳ１７１において、現在の動作モードが再生モードでないと判定された場合、ステップＳ１７２において、制御部１３は、記憶部１６が記憶している動作モードに従って、撮像装置１０の現在の動作モードが送信モードであるか否かを判定する。現在の動作モードが送信モードであると判定された場合、処理はステップＳ１８２に移行する。反対に、撮像装置１０の現在の動作モードが送信モードでないと判定された場合、処理はステップＳ１７３に移行する。
【００６６】
ステップＳ１７２において、現在の動作モードが送信モードであると判定された場合、ステップＳ１８２において、制御部１３は、撮像装置１０に送信処理をおこなわせる。送信処理は、工事写真管理サーバまたはクラウドへ作業情報を送信する処理である。その後、処理は、図２Ｃに示されるステップＳ１２９に移行する。
【００６７】
ステップＳ１７２において、現在の動作モードが送信モードでないと判定された場合、ステップＳ１７３において、制御部１３は、記憶部１６が記憶している動作モードに従って、撮像装置１０の現在の動作モードが受信モードであるか否かを判定する。現在の動作モードが受信モードであると判定された場合、処理はステップＳ１８３に移行する。反対に、撮像装置１０の現在の動作モードが受信モードでないと判定された場合、処理はステップＳ１７４に移行する。
【００６８】
ステップＳ１７３において、現在の動作モードが受信モードであると判定された場合、ステップＳ１８３において、制御部１３は、撮像装置１０に受信処理をおこなわせる。受信処理は、工事写真管理サーバまたはクラウドから指定部ガイドＵＩプログラムを受信する処理である。その後、処理は、図２Ｃに示されるステップＳ１２９に移行する。
【００６９】
ステップＳ１７３において、現在の動作モードが受信モードでないと判定された場合、ステップＳ１７４において、制御部１３は、記憶部１６が記憶している動作モードに従って、撮像装置１０の現在の動作モードが設定モードであるか否かを判定する。現在の動作モードが設定モードであると判定された場合、処理はステップＳ１８４に移行する。反対に、撮像装置１０の現在の動作モードが設定モードでないと判定された場合、処理はステップＳ１７５に移行する。
【００７０】
ステップＳ１７４において、現在の動作モードが設定モードであると判定された場合、ステップＳ１８４において、制御部１３は、撮像装置１０に設定処理をおこなわせる。設定処理は、操作部１４を介してユーザによる設定を受け付ける処理である。その後、処理はステップ、図２Ｃに示されるＳ１２９に移行する。
【００７１】
ステップＳ１７４において、現在の動作モードが設定モードでないと判定された場合、ステップＳ１７５において、制御部１３は、撮像装置１０にその他の処理をおこなわせる。その他の処理の後、処理は、図２Ｃに示されるステップＳ１２９に移行する。
【００７２】
図２Ａに示されるステップＳ１０２において、現在の動作モードが工事写真撮影モードであると判定された場合、ステップＳ１０３において、制御部１３は、位置センサ１７ａと方位センサ１７ｂと姿勢センサ１７ｃを起動させる。その後、処理はステップＳ１０４に移行する。
【００７３】
ステップＳ１０４において、制御部１３は、撮像部１１に撮像を開始させる。制御部１３はまた、画像処理部１２にライブビュー（ＬＶ）用の画像データを生成させ、ライブビュー（ＬＶ）画像を表示部１５に表示させる。その後、処理はステップＳ１０５に移行する。
【００７４】
ステップＳ１０５において、制御部１３は、工事写真の撮影の対象物をユーザが指定するための指定部ガイドユーザインターフェース（指定部ガイドＵＩ）を表示することを要求する指示を受けたか否かを判定する。指定部ガイドＵＩの表示指示を受けたと判定された場合、処理はステップＳ１０６に移行する。反対に、指定部ガイドＵＩの表示指示を受けていないと判定された場合、処理はステップＳ１５１に移行する。
【００７５】
例えば、制御部１３は、工事写真撮影モードの間、指定部ガイドＵＩの表示指示のアイコンを操作部１４のタッチパネルに表示させており、そのアイコンがタッチされたことを感知した場合に、指定部ガイドＵＩの表示指示を受けたと判定する。図３は、撮像装置１０を用いて工事写真の撮影の対象物３０をユーザが撮影する様子を示している。
【００７６】
ステップＳ１０５において、指定部ガイドＵＩの表示指示を受けていないと判定された場合、ステップＳ１５１において、制御部１３は、静止画記録が指示されたか否かを判定する。ユーザによって、例えば、操作部１４のレリーズボタンが操作されたとき、または、操作部１４のタッチパネルの静止画の撮影ボタンが操作されたとき、制御部１３は、静止画記録が指示されたと判定する。静止画記録が指示されたと判定された場合、処理はステップＳ１５２に移行する。静止画記録が指示されていないと判定された場合、処理は、図２Ｃに示されるステップＳ１２８に移行する。
【００７７】
ステップＳ１５１において、静止画記録が指示されたと判定された場合、ステップＳ１５２において、制御部１３は、画像処理部１２に静止画ファイルを生成させ、静止画ファイルを記憶部１６に記憶させる。その後、処理は、図２Ｃに示されるステップＳ１２８に移行する。
【００７８】
本願の特徴であるグループ分けによって撮影されたかどうかの情報（あるいはグループ分け情報）は、後で重要な確認項目になるので、撮影された画像に関連づけるようにしてもよい。その情報を画像ファイルのメタデータとして記録してもよいし、グループ分け結果をフォルダ構造やフォルダ名に反映してもよい。
【００７９】
また、このグループ分けに基づく同様の撮影条件の適用の提案は、撮影者あるいは随伴者や監督者によって採用または不採用（承諾または不承諾）が判定できるので、この提案に対する採用または不採用（承諾または不承諾）の判定結果の情報をメタデータ化してもよい。
【００８０】
ステップＳ１０５において、指定部ガイドＵＩの表示指示を受けたと判定された場合、ステップＳ１０６において、制御部１３は、操作部１４のタッチパネルに指定部ガイドＵＩを表示させる。その後、処理はステップＳ１０７に移行する。
【００８１】
図４Ａ〜図４Ｅは、操作部１４のタッチパネル５０に表示された指定部ガイドＵＩを示している。図４Ａは、指定部ガイドＵＩに最初に表示される画面を示しており、指定候補が表示されている様子を示している。図４Ａに示されるタッチパネル５０には、決定ボタンのアイコン５０ａと、戻るボタンのアイコン５０ｂと、タイトルウィンドウ５０ｃと、部屋指定ウィンドウ５０ｄが示されている。
【００８２】
タイトルウィンドウ５０ｃには、工事の対象の情報（例えば「Ａ社社屋」）と、現在の工程の情報（例えば「工程Ｘ」）が表示されている。部屋指定ウィンドウ５０ｄには、いくつかの指定候補の情報（例えば「４Ｆ  Ｂ室  Ｃ室  Ｄ室」）と、指定候補を指定するための指定アイコン５０ｅとが表示されている。ユーザは、例えば、操作部１４の選択キーを操作することにより、指定アイコン５０ｅを移動させて指定候補を変更することができ、また、所望の指定候補を直接タッチすることで指定候補を変更することができる。また、ユーザは、決定ボタンのアイコン５０ａをタッチすることにより指定候補を確定させることができる。
【００８３】
決定ボタンのアイコン５０ａがタッチされると、図４Ｂに示されるように、タイトルウィンドウ５０ｃに、指定した部屋（例えば「Ａ社社屋  ４Ｆ  Ｄ室」）の情報が表示され、また、指定した部屋の間取り図面ウィンドウ５０ｆが表示される。間取り図面ウィンドウ５０ｆには、指定された部屋における工事写真の撮影の対象物（例えば柱）を示すいくつかのアイコン５０ｇが表示されている。
【００８４】
ステップＳ１０７において、制御部１３は、工事写真の撮影の対象物が指定されたか否かを判定する。例えば、ユーザによって、対象物のアイコン５０ｇの１つがタッチされると、タッチされた対象物のアイコン５０ｇが反転表示され、さらに決定ボタンのアイコン５０ａがタッチされたとき、制御部１３は、工事写真の撮影の対象物が指定されたと判定する。工事写真の撮影の対象物が指定されたと判定された場合、処理はステップＳ１０８に移行する。工事写真の撮影の対象物が指定されていないと判定された場合、処理は、図２Ｃに示されるステップＳ１２８に移行する。
【００８５】
ステップＳ１０７において、工事写真の撮影の対象物が指定されたと判定された場合、ステップＳ１０８において、制御部１３は、対象物情報取得部１９に、指定された対象物すなわち撮影中の対象物に関する対象物情報を取得させ、黒板情報生成部１９ａに、対象物情報取得部１９が取得した対象物情報から、工事写真に写し込む情報である黒板情報を生成させ、これを黒板画像生成部１２ａに出力させる。
【００８６】
制御部１３は、また、黒板画像生成部１２ａに、黒板情報生成部１９ａによって生成された黒板情報に基づいて、工事写真に写し込む黒板画像データを生成させる。制御部１３は、また、黒板画像生成部１２ａに、別の黒板画像データの生成の指示を受けるまで、生成した黒板画像データを保持させておく。その後、処理は、図２Ｃに示されるステップＳ１２１に移行する。黒板画像データは、必要回数の撮影が済んだときに消去されてもよい。
【００８７】
図２Ｃに示されるステップＳ１２１において、制御部１３の撮影回数制御部１３ａは、図４Ｃに示されるように、操作部１４のタッチパネル５０に、撮影中の対象物の情報ウィンドウ５０ｉと撮影回数変更ウィンドウ５０ｋを表示させる。例えば、対象物の情報ウィンドウ５０ｉには、指定した対象物の情報（例えば「構成部材：鉄筋Ａ」）が表示される。撮影回数変更ウィンドウ５０ｋは、撮影回数ウィンドウ５０ｌとスピンボタンのアイコン５０ｍを有している。撮影回数ウィンドウ５０ｌには、撮影回数の初期値が表示されている。撮影回数の初期値の情報は、通信部１８によって受信され、記憶部１６に記憶されている指定部ガイドＵＩプログラムに含まれている。ユーザは、スピンボタンのアイコン５０ｍを操作することによって撮影回数を増減させることができる。撮影回数ウィンドウ５０ｌの表示は、スピンボタンのアイコン５０ｍの操作に伴って変更される。また、ユーザは、決定ボタンのアイコン５０ａをタッチすることにより撮影回数を確定させることができる。その後、処理はステップＳ１２２に移行する。
【００８８】
ステップＳ１２２において、撮影回数制御部１３ａは、撮影中の対象物の撮影回数の変更が指示されたか否かを判定する。例えば、ユーザによって、スピンボタンのアイコン５０ｍが操作されて、撮影回数ウィンドウ５０ｌの表示が変更され、さらに決定ボタンのアイコン５０ａがタッチされ、スピンボタンのアイコン５０ｍの操作の前後で撮影回数ウィンドウ５０ｌの表示が異なっているとき、撮影回数制御部１３ａは、撮影中の対象物の撮影回数の変更が指示されたと判定する。撮影回数の変更が指示されたと判定された場合、処理はステップＳ１６１に移行する。反対に、撮影回数の変更が指示されていないと判定された場合、処理はステップＳ１２３に移行する。
【００８９】
ステップＳ１２２において、撮影回数の変更が指示されたと判定された場合、図２Ｄに示されるステップＳ１６１において、制御部１３は、撮影回数変更ウィンドウ５０ｋを通して変更後の撮影回数の情報を取得し、撮影中の対象物の対象物情報中の撮影回数のパラメータを更新することにより、撮影回数を変更する。撮影回数のパラメータは、例えば、記憶部１６に記憶されている。その後、処理はステップＳ１６２に移行する。
【００９０】
ステップＳ１６２において、制御部１３の情報敷衍制御部１３ｂは、タッチパネル５０に、撮影中の対象物と同仕様の対象物について、同様の撮影回数の変更を提示する制御を行う。
【００９１】
そのため、情報敷衍制御部１３ｂは、撮影中の対象物のグループ分け情報と同じグループ分け情報を有する他の対象物（以下、類似対象物と称する）を検索する。グループ分け情報は、記憶部１６に記憶されている指定部ガイドＵＩプログラムに含まれている。
【００９２】
図５に示されるように、対象物（例えば柱）３０ａ，３０ｂは、例えばレイアウトに基づいて、第１のグループの対象物３０ａと第２のグループの対象物３０ｂにグループ分けされている。これはつまり、このグループ分けが複数の階層、つまり、まず対象物そのものの種別や仕様で分類されているということを示している。これは二次元的な図面上では、符号として表現される。そして、さらにそれが全体の撮影環境下の中（ここでは、特定の部屋など）で、どのような位置にあるかを場合分けされていることを示している。この位置に関しては、例えば、屋内や屋外、日向や日陰、水回りが近いかなど、環境が異なる場合の影響を考慮する場合もあるが、ここでは単純化して説明する。
【００９３】
つまり、ここにおいては、この「位置による分類」は、レイアウトということにして、同じ室内における他の構造物に対する配置関係を意味している。これは二次元的な図面上では他の符号との組合せ状況と表現してもよい。また、例えば、レイアウトは、対象物３０ａ，３０ｂの４面に向かい合った構造物（壁または柱）までの距離ｄ１，ｄ１’，ｄ２，ｄ２’，ｄ３，ｄ３’，ｄ４によって特定される。ここにおいて、距離ｄ１と距離ｄ１’は、ほぼ同じ寸法である。同様に、距離ｄ２と距離ｄ２’、距離ｄ３と距離ｄ３’も、それぞれ、ほぼ同じ寸法である。さらに、距離ｄ１，ｄ１’，ｄ３，ｄ３’は、距離ｄ２，ｄ２’，ｄ４に比べて大幅に小さい寸法である。
【００９４】
ここで、「同じ撮影環境」という表現を使ったのは、工事の進捗単位を想定してのことである。例えば、何月何日に工事をするのは、この部屋、ということであれば、部屋の単位が撮影の単位に一致する。ただし、広い部屋では、その半分しか工事できない事もあり、そのときに共通の撮影用の表示をしても使われることが難しい。また、狭い部屋であれば、同じ撮影日に複数の部屋に同様の撮影指示が出ても意味がある。このような撮影日の一致度は、同じ日に工事される構造物を工程表などの資料から読み取れば良い。工事の進捗によっては進み遅れがあるので、それを補正できるような補助操作を伴ってもよい。あるいは、その工務店などの作業のペースが決まっているならば、そこから推測して、その日に出来る作業量から対象となる構造物を推論してもよい。
【００９５】
こうした設計図面や仕様書、どの範囲にある構造物がどの日にどのような作業で作られるかを記載した工程表、工程管理情報などを対象物情報として、そこからグループ分けが出来、その情報が得られるようにしてもよい。従って、グループ分け情報は、構造物（対象物の仕様）、他の構造物との位置関係（位置のみならず、接続の仕方などで、異なるグループ分けがされることもある）、工事日程情報などから得ることが出来る。これは、特定の構造物と同じ仕様、同じレイアウト関係、同じ日程での工事、という感じで同じ分類となるものを検索していけば簡単に求めることができる。
【００９６】
つまり、工事写真用の撮像装置であって、撮像装置は、画像データを生成する撮像部と、工事写真の撮影の対象物に関する対象物情報を取得する対象物情報取得部を有し、撮像装置は、撮影するために選択された対象物の撮影条件を、上記対象物情報に従って同じにグループ分けされた他の対象物について、同様の撮影条件を適用する反映提示情報を出力する情報敷衍制御部を有するが、この撮影条件を変更した時に、それが同じグループにグループ分けされた他の対象物について、同様の撮影条件を適用するようなものでもよい。
【００９７】
このグループ分けによって撮影されたかどうかの情報（あるいはグループ分け情報）は、後で重要な確認項目になるので、撮影された画像に関連づけるようにしてもよい。その情報を画像ファイルのメタデータとして記録してもよいし、グループ分け結果をフォルダ構造やフォルダ名に反映してもよい。
【００９８】
四隅の対象物３０ａは、２面が壁に面しており、残りの２面が柱に面している。一方、中央の２つの対象物３０ｂは、１面が壁に面しており、残りの３面が柱に面している。従って、対象物３０ａと対象物３０ｂは、同じ柱でありながら、レイアウト的には相違している。このような理由から、四隅の対象物３０ａは、同じグループ（第１のグループ）にグループ分けされ、中央の２つの対象物３０ｂは、対象物３０ａのグループとは別のグループ（第２のグループ）にグループ分けされている。
【００９９】
ここでは、対象物３０ａ，３０ｂがレイアウトだけに基づいてグループ分けされる例をあげたが、例えば対象物３０ａが、他の特徴に基づいて、例えば、鉄筋の本数、材質、塗装等のいずれかに基づいて、さらにグループ分けされてもよい。加えて、さらにグループ分けされた対象物３０ａが、またさらにグループ分けされてもよい。
【０１００】
すなわち、対象物は、階層的にグループ分けされてもよい。例えば、対象物は、第１の特徴に基づいて複数の１次グループにグループ分けされ、１つの１次グループの対象物が、第２の特徴に基づいて複数の２次グループにグループ分けされ、必要であれば、さらに繰り返しグループ分けがおこなわれてもよい。
【０１０１】
情報敷衍制御部１３ｂは、さらに、見つかった類似対象物について、同様の撮影条件の変更を提示する反映提示情報を出力するとともに、反映提示情報に対する回答指示情報の入力を待つ。
【０１０２】
例えば、情報敷衍制御部１３ｂは、反映提示情報を出力することにより、図４Ｄに示されるように、タッチパネル５０に、撮影条件反映ウィンドウ５０ｑを表示させる。撮影条件反映ウィンドウ５０ｑには、変更後の撮影回数を示す吹き出しのアイコン５０ｒが撮影中の対象物のアイコン５０ｇに重ねて表示されており、また、類似の対象物を明示するために、類似対象物のアイコン５０ｇにも変更後の撮影回数を示す吹き出しのアイコン５０ｒが重ねて表示されている。
【０１０３】
また、情報敷衍制御部１３ｂは、反映提示情報を出力することにより、タッチパネル５０に表示されたタイトルウィンドウ５０ｃに「反映しますか？」のメッセージを表示させるとともに、回答指示情報を取得するため、タッチパネル５０に、はいボタンのアイコン５０ｓと、いいえボタンのアイコン５０ｔを表示させる。例えば、はいボタンのアイコン５０ｓと、いいえボタンのアイコン５０ｔは、表示時にいずれか一方が選択された状態で表示される。その後、処理はステップＳ１６３に移行する。
【０１０４】
ステップＳ１６３において、情報敷衍制御部１３ｂは、類似対象物に対する同様の撮影条件の変更を承諾する回答指示情報を受け取ったか否かを判定する。例えば、はいボタンのアイコン５０ｓが選択された状態で、ユーザによって、決定ボタンのアイコン５０ａがタッチされたとき、情報敷衍制御部１３ｂは、同様の撮影条件の変更を承諾する回答指示情報を受け取ったと判定する。反対に、いいえボタンのアイコン５０ｔが選択された状態で、ユーザによって、決定ボタンのアイコン５０ａがタッチされたとき、情報敷衍制御部１３ｂは、同様の撮影条件の変更を承諾しない回答指示情報を受け取ったと判定する。
【０１０５】
ここでは、情報敷衍制御部１３ｂは、類似対象物のすべてをひとまとめにして、同様の撮影条件の変更を提示する制御を行う例をあげたが、撮影条件の変更を承諾する類似対象物をユーザが選択できる制御を行ってもよい。例えば、情報敷衍制御部１３ｂは、類似対象物のアイコン５０ｇまたは吹き出しのアイコン５０ｒが、ユーザによるタッチによって、選択と非選択の状態が切り換えられる制御を行ってもよい。例えば、情報敷衍制御部１３ｂは、選択または非選択の状態が視認できるように、選択された類似対象物のアイコン５０ｇまたは吹き出しのアイコン５０ｒを反転表示させる制御を行ってもよい。この場合、はいボタンのアイコン５０ｓが選択された状態で、ユーザによって、決定ボタンのアイコン５０ａがタッチされたとき、情報敷衍制御部１３ｂは、選択されている類似対象物のアイコン５０ｇについて、同様の撮影条件の変更を承諾する回答指示情報を受け取ったと判定する。
【０１０６】
この回答指示は、撮影する撮影しないまでを左右しうる重要な決断であるから、何時、誰が判断したかなどの情報を残すようにしてもよい。例えば、撮像装置は３枚の撮影を提案しているが、撮影者がそれを採用せずに１枚しか撮影しなかった場合、提案を不採用した旨を、撮影された１枚の画像の画像ファイルに「３枚撮影提案不採用、何年何月何日何時何分」というメタデータとして、提案撮影枚数やそれを採用したかどうかを記録した方が良い。また、提案に沿って撮影された画像には「提案撮影」というメタデータを画像ファイルに添付してもよい。
【０１０７】
また、情報敷衍制御部１３ｂは、撮影中の対象物と同じ部屋にある類似対象物について、同様の撮影条件の変更を提示する制御を行う例をあげたが、撮影中の対象物と同じ部屋に限らず、他の部屋にある類似対象物についても、同様の撮影条件の変更を提示する制御を行ってもよい。例えば、情報敷衍制御部１３ｂは、タッチパネル５０に表示された撮影条件反映ウィンドウ５０ｑに、間取り図の画像に代えて、例えば同じ階にある類似対象物の一覧を表示させる制御を行ってもよい。さらに、情報敷衍制御部１３ｂは、撮影条件反映ウィンドウ５０ｑに表示された類似対象物の一覧の中から、撮影条件の変更を承諾する類似対象物をユーザが選択できる制御を行ってもよい。
【０１０８】
同様の撮影条件の変更を承諾する回答指示情報を受け取ったと判定された場合、処理は、ステップＳ１６４に移行する。反対に、同様の撮影条件の変更を承諾しない回答指示情報を受け取ったと判定された場合、処理は、ステップＳ１６５に移行する。
【０１０９】
ステップＳ１６３において、同様の撮影条件の変更を承諾する回答指示情報を受け取ったと判定された場合、ステップＳ１６４において、情報敷衍制御部１３ｂは、類似対象物の対象物情報中の撮影回数のパラメータを更新することにより、類似対象物の撮影回数を変更する。その後、処理はステップＳ１６５に移行する。
【０１１０】
ステップＳ１６５において、制御部１３は、変更後の撮影回数が０であるか否かを判定する。変更後の撮影回数が０であると判定された場合、処理は、図２Ｃに示されるステップＳ１２８に移行する。反対に、変更後の撮影回数が０でないと判定された場合、処理は、図２Ｃに示されるステップＳ１２３に移行する。
【０１１１】
ステップＳ１２２において、撮影回数の変更が指示されていないと判定された場合、または、ステップＳ１６５において、変更後の撮影回数が０でないと判定された場合、ステップＳ１２３において、制御部１３は、画像合成部１２ｂに、撮像部１１から取得した画像データに、黒板画像生成部１２ａによって生成された黒板画像データを合成させ、工事写真用の合成画像データを生成させる。
【０１１２】
制御部１３はまた、画像処理部１２に、ライブビュー（ＬＶ）用の合成画像データを生成させ、図４Ｅに示されるように、ライブビュー（ＬＶ）ウィンドウ５０ｎに表示させる。ＬＶウィンドウ５０ｎには、撮像部１１による撮影画像の前面に黒板画像５０ｏが重ねられた工事写真画像が表示される。ＬＶウィンドウ５０ｎの近くには、撮影回数ウィンドウ５０ｐが表示されている。
【０１１３】
図４Ｅに示されたタッチパネル５０において、好ましくは、ユーザは、ドラッグアンドドロップ操作によって黒板画像５０ｏの位置を変更することができる。また、ユーザは、戻るボタンのアイコン５０ｂをタッチすることによって、撮影回数変更ウィンドウ５０ｋが表示された図４Ｃの画面に戻ることができる。その後、処理はステップＳ１２４に移行する。
【０１１４】
ステップＳ１２４において、制御部１３は、静止画記録が指示されたか否かを判定する。ユーザによって、例えば、操作部１４のレリーズボタンが操作されたとき、または、操作部１４のタッチパネルの静止画の撮影ボタンが操作されたとき、制御部１３は、静止画記録が指示されたと判定する。静止画記録が指示されたと判定された場合、処理はステップＳ１２５に移行する。静止画記録が指示されていないと判定された場合、処理はステップＳ１２８に移行する。
【０１１５】
ステップＳ１２４において、静止画記録が指示されたと判定された場合、ステップＳ１２５において、制御部１３は、画像合成部１２ｂに、工事写真用の合成画像データに基づいて、工事写真静止画ファイルを生成させ、工事写真静止画ファイルを記憶部１６に記憶させる。制御部１３は、また、撮影回数のパラメータを１減算する。その後、処理はステップＳ１２６に移行する。
【０１１６】
ステップＳ１２６において、制御部１３は、残りの撮影回数が０であるか否かを判定する。残りの撮影回数が０であると判定された場合、処理はステップＳ１２７に移行する。反対に、残りの撮影回数が０でないと判定された場合、処理はステップＳ１２８に移行する。
【０１１７】
ステップＳ１２６において、残りの撮影回数が０であると判定された場合、ステップＳ１２７において、制御部１３は、現在の工事写真の対象物について必要回数の撮影が済んだことを、その対象物の対象物情報に記録する。例えば、対象物情報は、必要回数の撮影が済んだか否かを示すフラグを有しており、制御部１３は、このフラグを変更することにより、必要回数の撮影が済んだことを記録する。制御部１３は、また、更新後の対象物情報を記憶部１６に記憶させる。
【０１１８】
更新後の対象物情報は、例えば、撮像装置１０の動作モードが送信モードに変更されたときに、工事写真管理サーバまたはクラウドに送信される。または、更新後の対象物情報は、更新後ただちに、動作モードの変更を待つことなく、自動的に送信されてもよい。その後、処理はステップＳ１２８に移行する。
【０１１９】
ステップＳ１２８において、制御部１３は、撮影モードの終了が指示されたか否かを判定する。撮影モードの終了が指示されたと判定された場合、処理はステップＳ１２９に移行する。反対に、撮影モードの終了が指示されていないと判定された場合、処理は、図２Ａに示されるステップＳ１０１に移行する。
【０１２０】
ステップＳ１２８において、撮影モードの終了が指示されたと判定された場合、ステップＳ１２９において、制御部１３は、撮像装置１０の停止が指示されたか否かを判定する。例えば、ユーザによって操作部１４の起動停止ボタンが再度操作されたとき、制御部１３は、撮像装置１０の停止が指示されたと判定する。ステップＳ１２９において、撮像装置１０の停止が指示されていないと判定された場合、処理は、図２Ａに示されるステップＳ１０１に戻る。反対に、ステップＳ１２９において、撮像装置１０の停止が指示されたと判定された場合、制御部１３は撮像装置１０を停止させ、撮像装置１０はスタンバイ状態に再び戻る。
【０１２１】
以上に説明したように、本実施形態による撮像装置１０においては、制御部１３の撮影回数制御部１３ａは、同じ対象物を撮影する間、黒板画像生成部１２ａが、黒板画像生成部１２ａによって生成された同一の黒板画像データを繰り返し使用して、工事写真用の合成画像データを生成する制御を行う。従って、工事写真の撮影の１つの対象物に対して生成される黒板画像データは１つで済む。
【０１２２】
このように、この撮像装置１０は、画像データを生成する撮像部１１の他、工事写真の撮影の対象物に関する対象物情報を取得する対象物情報取得部１９を有しており、合成用の画像を生成する。合成用の画像の１つは、撮像制御や確認用の図４Ｂに示されるような画像であり、別の１つは、図４Ｄに示されるような撮影画像に合成する画像である。このように、撮像装置１０は、画像記録の指示を受けて撮像部１１によって生成された撮像画像データに対象物情報を合成して工事写真用の合成画像データを生成する画像合成部１２ｂを有する。また、対象物の撮影回数の情報の設定に従って対象物情報取得部１９と画像合成部１２ｂと表示部１５を制御する撮影回数制御部１３ａを備えることで、撮影回数の静止画記録が終了するまで、画像合成部１２ｂに、対象物情報を繰り返し使用して工事写真用の合成画像データを生成させるため、間違いのなく分かりやすい撮影ができ、その画像が証跡となる画像が得られる撮像装置１０が提供可能となる。
【０１２３】
また、この撮像装置１０においては、制御部１３の情報敷衍制御部１３ｂは、撮影中の対象物と同仕様の類似対象物について、同様の撮影回数の変更を提示する制御を行う。これにより、各類似対象物の撮影の都度、撮影回数を変更する作業を省略することが可能である。従って、工事写真の撮影をスピーディに行えるようになる。
【０１２４】
図２Ａ〜図２Ｄのフローチャートには図示されていないが、制御部１３は、工事写真撮影モードの間、例えば、黒板画像生成指示のアイコンを操作部１４のタッチパネルに表示させておき、そのアイコンがタッチされたことを感知した場合に、黒板画像生成に必要な情報の入力を要求し、入力された情報に基づいて黒板画像生成部１２ａに黒板画像データを生成させ、黒板画像生成部１２ａに工事写真用の合成画像データを生成させ、画像処理部１２にＬＶ用の合成画像データを生成させ、工事写真のＬＶ画像を表示部１５に表示させ、静止画記録の指示に応じて、画像処理部１２に工事写真静止画ファイルを生成させ、工事写真静止画ファイルを記憶部１６に記憶させるように制御してもよい。
【０１２５】
制御部１３は、位置センサ１７ａと方位センサ１７ｂと姿勢センサ１７ｃによって検知された撮像装置１０の位置と方位と姿勢に関する情報に基づいて、近景や遠景等の撮影距離や、東向きや南向き等の撮影方向、上部や下部等の撮影個所等の撮影状況情報を算出し、これらの撮影状況情報を補助情報として黒板画像データに付加するように黒板画像生成部１２ａを制御してもよい。これは、撮影時の状況を撮影後に把握することを容易にする。
【０１２６】
制御部１３は、また、撮像装置１０の位置と方位と姿勢に関する情報と、通信部１８によって受信された指定部ガイドＵＩプログラムに含まれる対象物情報とに基づいて、間取り図面ウィンドウ５０ｆが表示された図４Ｂのタッチパネル５０においてユーザが指定した対象物が、正しい対象物であるか否か、例えば、現在の撮像装置１０の撮影方向に存在するか否かを判定し、正しい対象物でないと判定された場合に、表示部１５を介して警告を出力するように構成されていてもよい。
【０１２７】
また、撮影回数制御部１３ａは、撮像装置１０の位置と方位と姿勢に関する情報と、指定部ガイドＵＩプログラムに含まれる対象物情報とに基づいて、例えば、現在の撮像装置１０と対象物の位置関係や、撮像装置１０の撮影方向等の情報に基づいて、必要回数の撮影が済む前に撮影が終了されたか否かを判定し、必要回数の撮影が済む前に撮影が終了されたと判定された場合に、表示部１５を介して警告を出力するように構成されていてもよい。
【０１２８】
本実施形態による制御部１３が行う各処理は、コンピュータに実行させることができるプログラムとして記憶させておくこともできる。そのプログラムは、磁気ディスク、光ディスク、半導体メモリ等の外部記憶装置の記録媒体に格納して配布することができる。コンピュータは、この外部記憶装置の記録媒体に記憶されたプログラムを読み込み、この読み込んだプログラムに従って動作することにより、上述した制御部１３が行う各処理を実行することができる。
【０１２９】
［工事写真管理サーバ］
次に、上述した撮像装置１０と通信を行う工事写真管理サーバについて説明する。
【０１３０】
［構成］
図６は、実施形態に係る工事写真管理サーバ１００の構成を示すブロック図である。工事写真管理サーバ１００は、工事写真管理サーバ１００を統括的に制御する制御部１１０と、工事物件情報を物件毎に記憶している工事データベース（ＤＢ）１３０と、撮像装置１０との間で各種情報の通信を行う通信部１４０とを有している。
【０１３１】
工事データベース１３０に記憶されている各工事物件情報は、その工事物件の設計図、各構造物の情報等を含んでいる。
【０１３２】
制御部１１０は、データベース１３０から工事物件情報を物件毎に読み出す物件情報読み出し部１１１と、物件情報読み出し部１１１により読み出された工事物件情報中の設計図内の各構造物を個別に識別する構造物識別部１１２を有している。
【０１３３】
制御部１１０はまた、物件情報読み出し部１１１により読み出された工事物件情報から、構造物識別部１１２により識別された各構造物に関する情報（構造物情報）を取得する構造物情報取得部１１３と、構造物識別部１１２により識別された構造物の中から工事写真の撮影の対象物に選定する対象物選定部１１４と、対象物選定部１１４により対象物に選定された構造物の情報（対象物情報）に基づいて対象物の撮影条件を決定する撮影条件決定部１１５と、対象物選定部１１４により対象物に選定された構造物の情報（対象物情報）に基づいて対象物をグループ分けするグループ分け部１１６を有している。
【０１３４】
制御部１１０はさらに、物件情報読み出し部１１１により読み出された工事物件情報中の設計図、構造物情報取得部１１３により取得された構造物情報（対象物情報を含む）、撮影条件決定部１１５により決定された対象物の撮影条件の情報等に基づいて指定部ガイドＵＩプログラムを作成するＵＩ作成部１１７を有している。
【０１３５】
制御部１１０はまた、指定部ガイドＵＩプログラムに使用される図面データ（以下では指定部ガイドＵＩ図面と称する）の表示を制御する表示制御部１１８を有している。制御部１１０はさらに、表示制御部１１８と協働して、操作済みの対象物と同仕様の対象物について同様の撮影条件の変更を提示し、同様の撮影条件の変更が承諾されたときに同様の撮影条件の変更を反映する情報敷衍部１１９を有している。
【０１３６】
制御部１１０はまた、撮像装置１０のアクセスを判定するアクセス判定部１２０を有している。アクセス判定部１２０は、撮像装置１０の通信部１８から送信され、工事写真管理サーバ１００の通信部１４０で受信された情報を判定する。アクセス判定部１２０は、例えば、撮像装置１０から情報を入手したか否か、工事写真を取得したか否か、指定部ガイドＵＩプログラムの送信の要求を受けたか否か、工事記録を確認する必要があるか否かを判定する。
【０１３７】
［動作］
図７Ａと図７Ｂと図７Ｃは、図１に示された撮像装置と通信を行う工事写真管理サーバ１００における処理のフローチャートを示している。
【０１３８】
ステップＳ２０１において、工事写真管理サーバ１００は、撮像装置１０から情報を入手したか否かを判定する。この判定は、アクセス判定部１２０が行う。情報を入手したと判定された場合、処理はステップＳ２０２に移行する。反対に、情報を入手していないと判定された場合、処理はステップＳ２１１に移行する。
【０１３９】
ステップＳ２０１において、情報を入手したと判定された場合、ステップＳ２０２において、工事写真管理サーバ１００は、工事写真を取得したか否かを判定する。この判定は、アクセス判定部１２０が行う。工事写真を取得したと判定された場合、処理はステップＳ２０３に移行する。反対に、工事写真を取得していないと判定された場合、処理は、図７Ｃに示されるステップＳ２３１に移行する。
【０１４０】
ステップＳ２０２において、工事写真を取得したと判定された場合、ステップＳ２０３において、工事写真管理サーバ１００は、施主、施工者、工事情報、建設種別ごとに、工事写真およびその補助情報を整理し記録し、工事写真台帳を作成する。その後、処理はステップＳ２０１に移行する。
【０１４１】
ステップＳ２０１において、情報を入手していないと判定された場合、ステップＳ２１１において、工事写真管理サーバ１００は、指定部ガイドＵＩプログラムに使用される図面データ（指定部ガイドＵＩ図面）が作成済みであるか否かを判定する。この判定は、例えばＵＩ作成部１１７が行う。あるいは、ＵＩ作成部１１７とは別に、制御部１１０が行ってもよい。作成済みの指定部ガイドＵＩ図面は、工事データベース１３０に物件毎に記憶されており、作成済みであるか否かの判定は、工事データベース１３０に対して指定部ガイドＵＩ図面を検索することにより行われる。指定部ガイドＵＩ図面が作成済みでないと判定された場合、処理はステップＳ２１２に移行する。反対に、指定部ガイドＵＩ図面が作成済みであると判定された場合、処理は、図７Ｂに示されるステップＳ２５１に移行する。
【０１４２】
ステップＳ２１１において、指定部ガイドＵＩ図面が作成済みでないと判定された場合、ステップＳ２１２において、工事写真管理サーバ１００は、設計図内の各構造物を個別に識別する。この識別作業は、例えば、物件情報読み出し部１１１と構造物識別部１１２が協働して行う。物件情報読み出し部１１１が、工事データベース１３０から物件情報（例えば設計図）を読み出し、読み出された物件情報（例えば設計図）に対して構造物識別部１１２が識別作業を行う。各構造物の識別は、例えば、画像認識技術を利用して行われてもよい。その後、処理はステップＳ２１３に移行する。
【０１４３】
ステップＳ２１３において、工事写真管理サーバ１００は、各構造物に関する情報（構造物情報）を取得する。この作業は、例えば構造物情報取得部１１３が行う。構造物情報取得部１１３は、例えば、各構造物の種別と座標をテキスト化する。テキスト化は、例えば、ＯＣＲ等の認識技術を利用して行われてもよい。さらに、構造物情報取得部１１３は、テキストを工事データベース１３０と照合することにより、各構造物に関する情報を取得する。さらには、構造物情報取得部１１３は、設計図書にある配筋図や各種リストを参照して、各構造物に関する情報を取得してもよい。その後、処理はステップＳ２１４に移行する。
【０１４４】
ステップＳ２１４において、工事写真管理サーバ１００は、構造物の中から工事写真の撮影の対象物を選定し、設計図中の各対象物の座標または座標近傍に、撮影ポイントのアイコンを配置する。対象物の選定は、対象物選定部１１４が行い、撮影ポイントのアイコンの配置は、ＵＩ作成部１１７が行う。工事写真管理サーバ１００はまた、撮影の対象物とその周辺の構造物の情報に基づいて、対象物の撮影条件を決定する。この作業は、撮影条件決定部１１５が行う。さらに、ＵＩ作成部１１７は、対象物以外の構造物の座標または座標近傍に、構造物のアイコンを配置してもよい。その後、処理はステップＳ２１５に移行する。
【０１４５】
ステップＳ２１５において、工事写真管理サーバ１００は、撮影ポイントのアイコンにスイッチ機能を付加してＵＩプログラム化して、指定部ガイドＵＩ図面を作成する。このＵＩプログラム化は、ＵＩ作成部１１７が行う。スイッチ機能は、例えば、アクセス操作に応じて、そのアイコンに対応した対象物の情報と撮影条件の情報を表示する機能を有する。スイッチ機能は、また、フラグ機能を含む。フラグ機能は、その撮影ポイントにおいて撮影が既に行われたか否かの２状態の情報、すなわち、未撮影であるか撮影済みであるかの情報を保持する機能を有する。さらに、ＵＩ作成部１１７は、対象物以外の構造物のアイコンに対して、アクセス操作に応じて構造物の情報を表示するスイッチ機能を設けてもよい。その後、処理はステップＳ２１６に移行する。
【０１４６】
ステップＳ２１６において、工事写真管理サーバ１００は、同種類の対象物についてグループ分けを行う。グループ分けは、グループ分け部１１６が行う。グループ分け部１１６は、各対象物の特徴に基づいて、例えば各対象物のレイアウト（他の構造物との相対的位置関係）に基づいて行う。グループ分け部１１６は、同じグループにグループ分けした対象物に対して、同じグループ情報を設定する。その後、処理はステップＳ２０１に移行する。
【０１４７】
ステップＳ２１１において、指定部ガイドＵＩ図面が作成済みであると判定された場合、図７Ｂに示されるステップＳ２５１において、工事写真管理サーバ１００は、指定部ガイドＵＩ図面作成の補助操作が必要であるか否かを判定する。この判定は、例えばＵＩ作成部１１７が行う。ＵＩ作成部１１７は、過去に作成された指定部ガイドＵＩプログラムの作成結果を学習することで新規の指定部ガイドＵＩプログラムを作成することができる。このためには、十分な学習がされている必要がある。ステップＳ２５１では、新規に指定部ガイドＵＩプログラムを作成するのに十分な学習がされているときに、指定部ガイドＵＩプログラム作成の補助操作が必要でないと判定される。指定部ガイドＵＩ図面作成の補助操作が必要であると判定された場合、処理はステップＳ２６１に移行する。この場合には、工事写真管理サーバ１００のオペレータによる手動操作を用いて指定部ガイドＵＩプログラムが作成される。反対に、指定部ガイドＵＩ図面作成の補助操作が必要でないと判定された場合、処理はステップＳ２５２に移行する。
【０１４８】
ステップＳ２５１において、指定部ガイドＵＩ図面作成の補助操作が必要でないと判定された場合、ステップＳ２５２において、工事写真管理サーバ１００は、指定部ガイドＵＩ図面作成の学習結果を取得する。この作業は、例えばＵＩ作成部１１７が行う。その後、処理は、図７Ａに示されるステップＳ２０１に移行する。
【０１４９】
ステップＳ２５１において、指定部ガイドＵＩ図面作成の補助操作が必要であると判定された場合、ステップＳ２６１において、工事写真管理サーバ１００は、対応設計図や他の対応資料から追加情報を取得する。この作業は、例えば物件情報読み出し部１１１が行う。その後、処理はステップＳ２６２に移行する。
【０１５０】
ステップＳ２６２において、工事写真管理サーバ１００は、撮影ポイントのアイコンの配置とスイッチ機能の付加が作業済みの対象物と同仕様の対象物を検索する。このステップＳ２６２の作業と、これに続く一連のステップＳ２６５の作業は、情報敷衍部１１９が、必要に応じて制御部１１０内の他の機能ブロック部と協働して行う。その後、処理はステップＳ２６３に移行する。
【０１５１】
ステップＳ２６３において、工事写真管理サーバ１００は、作業済みの対象物と同仕様の対象物が見つかったか否かを判定する。作業済みの対象物と同仕様の対象物が見つからなかった場合、処理は、図７Ａに示されるステップＳ２０１に移行する。反対に、作業済みの対象物と同仕様の対象物が見つかった場合、処理はステップＳ２６４に移行する。
【０１５２】
ステップＳ２６４において、工事写真管理サーバ１００は、作業済みの対象物と同仕様の見つかった対象物について、作業済みの対象物と同様に、撮影ポイントのアイコン配置とスイッチ機能付加を提示する。撮影ポイントのアイコン配置とスイッチ機能付加の提示は、例えば、表示制御部１１８が、見つかった対象物をユーザが認識できるように、指定部ガイドＵＩ図面上において見つかった対象物を色分け表示するとともに、アイコン配置とスイッチ機能付加を行いたい対象物をユーザが自由に選択して承諾できるように制御することにより行われる。その後、処理はステップＳ２６５に移行する。
【０１５３】
ステップＳ２６５において、工事写真管理サーバ１００は、撮影ポイントのアイコン配置とスイッチ機能付加が承諾されたか否かを判定する。撮影ポイントのアイコン配置とスイッチ機能付加が承諾されなかった場合、処理は、図７Ａに示されるステップＳ２０１に移行する。反対に、撮影ポイントのアイコン配置とスイッチ機能付加が承諾された場合、処理はステップＳ２６６に移行する。
【０１５４】
ステップＳ２６６において、工事写真管理サーバ１００は、承諾された対象物に対して、作業済みの対象物と同様に、撮影ポイントのアイコン配置とスイッチ機能付加を行ってＵＩプログラム化する。この作業は、ＵＩ作成部１１７が行う。その後、処理はステップＳ２６７に移行する。
【０１５５】
ステップＳ２６７において、工事写真管理サーバ１００は、作業済みの対象物と、Ｓ２６６において撮影ポイントのアイコン配置とスイッチ機能付加を行った対象物とに対して、同じグループ情報を設定する。この作業は、例えばグループ分け部１１６が行う。あるは、グループ分け部１１６とは別に、制御部１１０が行ってもよい。その後、処理は、図７Ａに示されるステップＳ２０１に移行する。
【０１５６】
ステップＳ２０２において、工事写真を取得していないと判定された場合、図７Ｃに示されるステップＳ２３１において、工事写真管理サーバ１００は、対応工程の指定部ガイドＵＩプログラムの送信の要求を受けたか否かを判定する。この判定は、アクセス判定部１２０が行う。指定部ガイドＵＩプログラムの送信の要求を受けたと判定された場合、処理はステップＳ２３２に移行する。反対に、指定部ガイドＵＩプログラムの送信の要求を受けていないと判定された場合、処理はステップＳ２４１に移行する。
【０１５７】
ステップＳ２３１において、指定部ガイドＵＩプログラムの送信の要求を受けたと判定された場合、ステップＳ２３２において、工事写真管理サーバ１００は、指定部ガイドＵＩプログラムが作成済みであるか否かを判定する。この判定は、例えばＵＩ作成部１１７が行う。あるは、ＵＩ作成部１１７とは別に、制御部１１０が行ってもよい。指定部ガイドＵＩプログラムが作成済みであると判定された場合、処理はステップＳ２３３に移行する。反対に、指定部ガイドＵＩプログラムが作成済みでないと判定された場合、処理はステップＳ２３４に移行する。
【０１５８】
ステップＳ２３２において、指定部ガイドＵＩプログラムが作成済みであると判定された場合、ステップＳ２３３において、工事写真管理サーバ１００は、指定部ガイドＵＩプログラムを送信する。その後、処理は、図７Ａに示されるステップＳ２０１に移行する。
【０１５９】
ステップＳ２３２において、指定部ガイドＵＩプログラムが作成済みでないと判定された場合、ステップＳ２３４において、工事写真管理サーバ１００は、撮像装置１０の表示部１５に警告を出力させる情報を送信する。その後、処理は、図７Ａに示されるステップＳ２０１に移行する。
【０１６０】
ステップＳ２３１において、指定部ガイドＵＩプログラムの送信の要求を受けていないと判定された場合、ステップＳ２４１において、工事写真管理サーバ１００は、工事記録を確認する必要があるか否かを判定する。この判定は、アクセス判定部１２０が行う。工事記録を確認する必要があると判定された場合、処理はステップＳ２４２に移行する。反対に、工事記録を確認する必要がないと判定された場合、処理は、図７Ａに示されるステップＳ２０１に移行する。
【０１６１】
ステップＳ２４１において、工事記録を確認する必要があると判定された場合、ステップＳ２４２において、工事写真管理サーバ１００は、工事記録から必要な情報を検索して送信する。その後、処理は、図７Ａに示されるステップＳ２０１に移行する。
【０１６２】
これまで、図面を参照しながら本発明の実施形態を述べたが、本発明は、これらの実施形態に限定されるものではなく、その要旨を逸脱しない範囲において様々な変形や変更が施されてもよい。ここにいう様々な変形や変更は、上述した実施形態を適当に組み合わせた実施も含む。
【０１６３】
例えば、ここでは、「同様の撮影条件の変更を提示する反映提示情報を出力する」という点を強調したが、最初からグループ分けした結果に従って、ユーザーインターフェースを変更するような場合にも本願発明のカバーするところとなる。
【０１６４】
なお、実施形態中で、何々部として記載した部分は、専用の回路や、複数の汎用の回路を組み合わせて構成してもよく、必要に応じて、予めプログラムされたソフトウェアに従って動作を行うマイコン、ＣＰＵなどのプロセッサ、あるいはシーケンサを組み合わせて構成されてもよい。また、その制御の一部または全部を外部の装置が引き受けるような設計も可能であり、この場合、有線や無線の通信回路が介在する。通信は、ブルートゥース（登録商標）やＷｉＦｉ、電話回線などで行えばよく、ＵＳＢなどで行ってもよい。専用の回路、汎用の回路や制御部を一体としてＡＳＩＣとして構成してもよい。撮像装置は、対象物情報を外部から取得可能であるし、そこから対象物をグループ分けするのも外部で行ってもよい。あるいは、撮像装置はグループ分けの指示を外部に命じて行わせ、結果だけを取得して撮影時のユーザーインターフェースに反映してもよい。
【０１６５】
上記の実施形態の一部又は全部は、以下の付記のようにも記載されうるが、以下には限られるものではない。
［付記１］
工事写真用の撮像装置であって、撮像装置は、
画像データを生成する撮像部と、
工事写真の撮影の対象物に関する対象物情報を取得する対象物情報取得部を有し、
撮像装置は、上記対象物情報に従って、撮影中の対象物の撮影条件の変更を指示する変更指示情報を受け取ったときに、撮影中の対象物と同じにグループ分けされた他の対象物について、同様の撮影条件の変更を提示する反映提示情報を出力する情報敷衍制御部を有する、撮像装置。
［付記２］
工事写真用の撮像装置であって、撮像装置は、
画像データを生成する撮像部と、
工事写真の撮影の対象物に関するグループ分け情報を取得するグループ分け情報取得部を有し、
撮像装置は、撮影するために選択された対象物の撮影条件を、上記グループ分け情報に従って同じにグループ分けされた他の対象物について、同様の撮影条件を適用する反映提示情報を出力する情報敷衍制御部を有する、撮像装置。
【符号の説明】
【０１６６】
１０…撮像装置、１１…撮像部、１１ａ…結像光学系、１１ｂ…撮像素子、１２…画像処理部、１２ａ…黒板画像生成部、１２ｂ…画像合成部、１３…制御部、１３ａ…撮影回数制御部、１３ｂ…情報敷衍制御部、１４…操作部、１５…表示部、１６…記憶部、１７ａ…位置センサ、１７ｂ…方位センサ、１７ｃ…姿勢センサ、１８…通信部、１９…対象物情報取得部、１９ａ…黒板情報生成部、３０…対象物、３０ａ…第１のグループの対象物、３０ｂ…第２のグループの対象物、５０…タッチパネル、５０ａ…決定ボタンのアイコン、５０ｂ…戻るボタンのアイコン、５０ｃ…タイトルウィンドウ、５０ｄ…部屋指定ウィンドウ、５０ｅ…指定アイコン、５０ｆ…間取り図面ウィンドウ、５０ｇ…対象物のアイコン、５０ｉ…情報ウィンドウ、５０ｋ…撮影回数変更ウィンドウ、５０ｌ…撮影回数ウィンドウ、５０ｍ…スピンボタンのアイコン、５０ｎ…ライブビューウィンドウ、５０ｏ…黒板画像、５０ｐ…撮影回数ウィンドウ、５０ｑ…撮影条件反映ウィンドウ、５０ｒ…吹き出しのアイコン、５０ｓ…はいボタンのアイコン、５０ｔ…いいえボタンのアイコン、１００…工事写真管理サーバ、１１０…制御部、１１１…物件情報読み出し部、１１２…構造物識別部、１１３…構造物情報取得部、１１４…対象物選定部、１１５…撮影条件決定部、１１６…グループ分け部、１１７…ＵＩ作成部、１１８…表示制御部、１１９…情報敷衍部、１２０…アクセス判定部、１３０…工事データベース、１４０…通信部。
【図１】
2019087882.tif 000003
【図２Ａ】
2019087882.tif 000004
【図２Ｂ】
2019087882.tif 000005
【図２Ｃ】
2019087882.tif 000006
【図２Ｄ】
2019087882.tif 000007
【図３】
2019087882.tif 000008
【図４Ａ】
2019087882.tif 000009
【図４Ｂ】
2019087882.tif 000010
【図４Ｃ】
2019087882.tif 000011
【図４Ｄ】
2019087882.tif 000012
【図４Ｅ】
2019087882.tif 000013
【図５】
2019087882.tif 000014
【図６】
2019087882.tif 000015
【図７Ａ】
2019087882.tif 000016
【図７Ｂ】
2019087882.tif 000017
【図７Ｃ】
2019087882.tif 000018